(57)【要約】【課題】高光沢仕上げのキャビネットの外観を損なうことなく、本体筐体に取り付ける構造を提供する。【解決手段】前記キャビネットはその上下左右４方側面内側に、前記本体筐体の上下左右４方側面の開口部に設けた突起に係合させるための係合爪を有し、この係合爪が前記突起に係合した状態で、前記係合爪を前記突起側に付勢する係合補助体を前記本体筐体の外面に装着することにより、直接ビスを用いることなくキャビネットを本体筐体と固定することにより、ビス締結によるねじりモーメントやストレスがキャビネットに加わるのを防ぐことにより、キャビネットの捩れや変形を無くし、高光沢仕上げであっても光の反射によるムラの発生を防ぎ、鏡面のような高級感のある外観を提供することができる。【選択図】図２
2009200543.tif 000002
【特許請求の範囲】
【請求項１】
前面が開口している箱状の本体筐体と、この本体の前面開口部に装着された表示パネルと、この表示パネルの外周部を、前記本体筐体の前面開口部縁に挟持するキャビネットとを備え、前記キャビネットはその上下左右４方側面内側に、前記本体筐体の上下左右４方側面の開口部に設けた突起に係合させるための係合爪を有し、この係合爪が前記突起に係合した状態で、前記係合爪を前記突起側に付勢する係合補助体を前記本体筐体の外面に装着することを特徴とするキャビネット。
【請求項２】
前記キャビネットの外観部を、塗装や成型生地表面を鏡面仕上げにすることにより、高光沢仕上げとしたことを特徴とする請求項１に記載のキャビネット。
【請求項３】
前記係合補助体を、前記係合爪と同数の小片にしたことを特徴とする請求項１に記載のキャビネット。
【請求項４】
前記係合補助体を、ひとつの部材で複数個の前記係合爪を付勢することを特徴とする請求項１に記載のキャビネット。
【請求項５】
前記係合補助体として、ビスを用いたことを特徴とする請求項１に記載のキャビネット。
【請求項６】
請求項１乃至５に記載のキャビネットを備えたディスプレイ装置。
【発明の詳細な説明】
【技術分野】
【０００１】
本発明は、外観部に用いられるキャビネットの取付け構造に係り、特に正面視の意匠性が重要となるディスプレイ装置等のキャビネットに好適に利用できるものである。
【背景技術】
【０００２】
ディスプレイ装置等のキャビネットにおいては、通常の使用状態において使用者の可視範囲となる部位を塗装や装飾を施して意匠性を良くし、使用者の好意を引き付けるよう配慮している。近年、意匠性に高級感を持たせることを目的として、黒系の高光沢の質感を備えたキャビネットが主流になりつつある。一般的なキャビネットの取付け構造としては、キャビネットの正面の裏側にビス固定部を設けて本体筐体とビス締結にて固定する構造があるが、高光沢の表面は鏡のように光を反射するため表面の若干の凹凸でもムラとなって使用者に見えてしまうため、正面の裏側にビス固定部を配置した場合に正面側に発生するヒケと呼ばれる僅かな窪みの成型不良によりムラとなって見える外観的不具合が発生する。正面側へのヒケの発生を無くすことを目的とした従来のキャビネットの取付け構造としては、キャビネットのビス固定部をキャビネット側面に設けることによりキャビネット前面のヒケ発生を防止したもの（例えば、特許文献１参照。）やキャビネットのビス固定部を外観部以外に設けたもの（例えば、特許文献２参照。）がある。
【特許文献１】登録実用新案第３０７６４０４号公報
【特許文献２】特開２００３−２５９２５０号公報
【発明の開示】
【発明が解決しようとする課題】
【０００３】
前記従来の構成では、キャビネットを本体筐体とビス締結にて固定する構造であるために、ビス締結によるねじりモーメントやストレスがキャビネットに加わり、それによってキャビネットに捩れや変形が発生することにより、特にキャビネット側面部の平面性が悪化し、光の反射によるムラが使用者に見え、外観を損なうという課題を有していた。
【０００４】
本発明は、前記従来の課題を解決するもので、キャビネットに直接ビスを用いることなくキャビネットを本体筐体と固定することができ、高光沢仕上げのキャビネットの意匠性を損なうことなく取り付けることが可能となるキャビネットを提供することを目的とする。
【課題を解決するための手段】
【０００５】
前記従来の課題を解決するために、本発明のキャビネットの取付け構造は、前面が開口している箱状の本体筐体と、この本体の前面開口部に装着された表示パネルと、この表示パネルの外周部を、前記本体筐体の前面開口部縁に挟持するキャビネットとを備え、前記キャビネットはその４方側面内側に、前記本体筐体の４方側面の開口部に設けた突起に係合させるための係合爪を有し、この係合爪が前記突起に係合した状態で、前記係合爪を前記突起側に付勢する係合補助体を前記本体筐体の外面に装着することを特徴とするキャビネットである。
【０００６】
また、本発明は、前記キャビネットの外観部を、塗装や成型生地表面を鏡面仕上げにすることにより、高光沢仕上げとしたことを特徴とするキャビネットの取付け構造である。
【０００７】
さらに、本発明は、前記係合補助体を、前記係合爪と同数の小片にしたことを特徴とするキャビネットの取付け構造である。
【０００８】
さらに、本発明は、前記係合補助体を、ひとつの部材で複数個の前記係合爪を付勢することを特徴とするキャビネットの取付け構造である。
【０００９】
さらに、本発明は、前記係合補助体として、ビスを用いたことを特徴とするキャビネットである。
【発明の効果】
【００１０】
本発明のキャビネットによれば、キャビネットに直接ビスを用いることなくキャビネットを本体筐体と固定することができるためにビス締結によるねじりモーメントやストレスがキャビネットに加わるのを防ぐことにより、キャビネットの捩れや変形を無くし、その平面性を確保することによって、高光沢仕上げであっても光の反射によるムラの発生を防ぎ、鏡面のような高級感のある外観を提供することができる。
【００１１】
更には、キャビネットからビス固定部を取り除くことにより、表示パネル外周とキャビネット側面とを近接して配置することを可能とし、近年表示パネルを強調する意匠として流行である狭額縁のキャビネットを提供できるという効果も有する。
【発明を実施するための最良の形態】
【００１２】
以下に、本発明のキャビネットの取付け構造の実施の形態をリアプロジェクションテレビのキャビネットの取り付け構造を例にあげて図面とともに詳細に説明する。
【００１３】
（実施の形態１）
図１は、本発明の第１の実施の形態におけるキャビネットの取付け構造の構成の一例を示す分解斜視図であり、図２は、キャビネットを本体筐体に取り付け係合補助体を装着した構造を示す断面図である。
【００１４】
図１において、表示パネルである透過型のスクリーン３はキャビネット１と本体筐体２とにより挟みこまれる構成となっており、スクリーン３は通常レンチキュラースクリーン４とフレネルレンズ５との２枚の板状部材を外周でテープ６により貼り合わせることにより構成されている。本体筐体２には通常、筐体下方の映像投射装置より投影された映像を反射し使用者が見る画像を後方よりスクリーン３に映し出す目的でミラー７が取り付けられている。
【００１５】
スクリーン３の取り付けは本実施の形態においては、両面テープ８等の粘着手段によってキャビネット１に貼り付け固定する。但し、スクリーン３の取り付けに関しては本体筐体２へ固定する形態も可能である。スクリーン３を取り付けたキャビネット１を本体筐体２に固定する手段としては、キャビネット１の上下左右の４側面内側に一体で形成された係合爪９を複数個設け、係合爪９を本体筐体２の上下左右の４側面に設けられた開口部１０へ挿入し、開口部１０に設けられた突起１１と係合させることによって行う。なお係合爪９はスライドコアや傾斜ピンを用いた構成にした金型を利用することでキャビネット１と一体成型することが可能である。更に図３、図４に示すように係合補助体１２を本体筐体２の外面にビス１４にて固定装着することによって、係合爪９と開口部１０との隙間を埋め、且つ係合爪９を突起１１側に付勢する働きを行い、外部から衝撃等の荷重が加わっても係合爪９と突起１１との係合が外れるのを防ぐようになり、完全に固定される。係合補助体１２の数は、本実施例においてはキャビネット１に設けられた係合爪９と同数個としている。なお係合爪９、開口部１０と突起１１の数や位置は、キャビネット１のサイズによって任意に決定されるものである。
【００１６】
以上のように、実施の形態１においてはキャビネット１を直接ビス締結を行わずに係合爪のみで本体筐体２に固定することが可能となり、ビス締結によるねじりモーメントやストレスがキャビネットに加わるのを防ぐことにより、キャビネット取付け時に発生する微小なキャビネットの捩れや変形を無くし、外観部の平面性を確保することによって、高光沢仕上げであっても光の反射によるムラの発生を防ぎ、鏡面のような高級感のある外観を提供することができる。なお、キャビネットの外観部を高光沢に仕上げる手段としては、例えばポリスチレン樹脂にて成型されたキャビネットの表面にベース塗装とクリア塗装を施す塗装を用いたものと、成型金型表面を鏡面仕上げしＡＢＳ＋ＰＭＭＣ樹脂等の表面の透明感のある材料を用いての成形生地を用いるものが一般的に知られている。
【００１７】
また、実施の形態１では、キャビネットからビス固定部を取り除くことにより、表示パネル外周とキャビネット側面とを近接して配置することを可能とする。
図５に本実施の形態でのキャビネット取付け構造を、図６に従来例でのキャビネット取付け構造を示す。通常、キャビネットの側面内側からキャビネットの４側面に設けられた係合爪９やビス固定部１５への寸法ａはキャビネットを成型する金型自身の強度上の制約を受ける。但し、金型の材質やサイズ・形状・構成によって寸法ａは変動する。次にキャビネットを本体筐体に固定するための部位自身の大きさで寸法ｂが決まる。通常キャビネットとその取付け部位を一体とした場合、キャビネットに収める表示パネルは、前記キャビネットを固定するための部位との部品挿入時の干渉を避けるため隙間ｃを取る必要があり、更には表示パネルがキャビネットから脱落するのを防ぐためにキャビネットに表示パネルの受け面を設け、その幅を寸法ｄとする。以上の構造により一般的にキャビネットの額縁幅は前記寸法ａ〜ｄを足し合わせて決定され、その額縁幅寸法をＬとする。前述のように寸法ａ、ｃ、ｄは製品自体のサイズや使用する表示パネルの強度や重量によって適した数値となるが、一般に同サイズの製品で樹脂成型によるキャビネットを用いる場合であれば拮抗した数値となる。よってキャビネットを固定するための部位自身の大きさの寸法ｂを小さくすることが、額縁寸法をより小さくすることを可能とさせる。
【００１８】
本実施の形態１に示す係合爪９は従来のビス固定部１５をより小さくすることができ、それによってキャビネットの額縁幅を小さくすることを可能とし、近年表示パネルを強調する意匠として流行である狭額縁のキャビネットを提供することもできる。
【００１９】
（実施の形態２）
図７は、本発明の実施の形態２のキャビネットの取付け構造の分解斜視図を示す。図７において、係合補助体１３は上下左右の各辺に１本とし、実施の形態1の構成と異なるところは、本体筐体２の開口部１０と同数個であった係合補助体１２を各辺毎に一体化して、係合補助体１３とした点であり、係合補助体の取り付けや取り外しを容易にしたものである。
【００２０】
また、実施の形態２においては、係合補助体を各辺に１個としたが、本体筐体２のサイズや係合補助体自体のサイズより、構成し易いような任意の個数にすることも可能である。
【００２１】
（実施の形態３）
図８は、本発明の実施の形態３のキャビネットの取付け構造の断面図を示す。実施の形態1の構成と異なるところは、係合爪９の爪の位置を外向きに形成したことであり、同時に本体筐体２の開口部１０に設けられた突起１１も外側に配置させる。これにより額縁幅を実施の形態１の例より小さくすることが可能となる。
【００２２】
（実施の形態４）
図９は、本発明の実施の形態４のキャビネットの取付け構造の断面図を示す。実施の形態３で示す係合補助体をビス１６に置き換えたものであり、係合補助体として成型・板金・金属等の部材を用いることなく構成し、より簡単で且つ低コストの構造を可能とする。
【産業上の利用可能性】
【００２３】
本発明にかかるキャビネットの取付け構造は、キャビネットに直接ビスを用いることなくキャビネットを本体筐体と固定することができるためにビス締結によるねじりモーメントがキャビネットに加わるのを防ぐことにより、キャビネットの捩れや変形を無くし、その平面性を確保することによって、高光沢仕上げであっても光の反射によるムラの発生を防ぎ、鏡面のような高級感のある外観を提供することができる効果を有し、特に正面視の意匠性が重要となるディスプレイ装置等のキャビネット取付け構造として有用である。
【００２４】
本発明にかかるキャビネットの取付け構造は、正面視で高光沢仕上げの高級感のある外観が必要な液晶・プラズマ等の表示パネルを用いたディスプレイ装置等の用途にも適用できる。
【図面の簡単な説明】
【００２５】
【図１】本発明の実施の形態１におけるリアプロジェクションテレビのキャビネットの取付け構造を説明する分解斜視図
【図２】本実施の形態１としてキャビネットを本体筐体に取り付け係合補助体を装着した構造を説明する断面図
【図３】本実施の形態１としてキャビネットの係合爪と同数の係合補助体（小片）の取付け構造の全体像を説明する分解斜視図
【図４】本実施の形態１としてキャビネットの係合爪と同数の係合補助体（小片）の取付け構造部の詳細を説明する分解斜視図
【図５】本実施の形態１としてキャビネットの額縁幅決定に起因する構造を説明する断面図
【図６】従来例としてキャビネットの額縁幅決定に起因する構造を説明する断面図
【図７】本発明の実施の形態２におけるキャビネットの取付け構造を説明する分解斜視図
【図８】本発明の実施の形態３におけるキャビネットの取付け構造を説明する断面図
【図９】本発明の実施の形態４におけるキャビネットの取付け構造を説明する断面図
【符号の説明】
【００２６】
１  キャビネット
２  本体筐体
３  スクリーン
４  フレネルレンズ
５  レンチキュラー
６  テープ
７  ミラー
８  両面テープ
９  係合爪
１０  開口部
１１  突起
１２  係合補助体（小片）
１３  係合補助体
１４  ビス
１５  従来構造のビス固定部
１６  実施の形態４で用いるビス
【図１】
2009200543.tif 000003
【図２】
2009200543.tif 000004
【図３】
2009200543.tif 000005
【図４】
2009200543.tif 000006
【図５】
2009200543.tif 000007
【図６】
2009200543.tif 000008
【図７】
2009200543.tif 000009
【図８】
2009200543.tif 000010
【図９】
2009200543.tif 000011